(57)【特許請求の範囲】
【請求項１】
作動流体が収容される第１流体室を区画するシリンダと、該シリンダ内を摺動して前記作動流体を加圧する第１ピストンと、前記シリンダ内に摺動可能に設けられ、前記第１ピストンとの間に第２流体室を区画する第２ピストンと、前記第１及び第２ピストンを作動流体加圧方向に押動するロッドと、前記第２流体室に連通され、該第２流体室に圧力流体を導入して前記第１ピストンを押動するための導入路と、前記シリンダと前記第１ピストンとの間に設けられ、前記第１及び第２流体室から隔てられて外部に連通された大気室とを備えたことを特徴とする流体圧発生装置。
【発明の詳細な説明】
【０００１】
【発明の属する技術分野】
本発明は、車両のクラッチやブレーキ等を作動させるマスタシリンダに適用される流体圧発生装置に関するものである。
【０００２】
【従来の技術】
最近、バスやトラック等の大型車両においても変速自動化の要請が高まっている。これらの車両は一般に車重や積載量が大きく、クラッチ形式として乗用車に採用されるような流体式トルクコンバータを用いると損失大となり燃費の面で不利であるため、このような大型車両においては、特に摩擦クラッチを自動操作により断続し、その出力を変速機に送り、この変速機をやはり自動操作するようにして、変速自動化の達成を図っている。このクラッチの自動操作を行うクラッチ断続装置としては、空圧の給排により摩擦クラッチの断続操作を行う倍力装置（クラッチブースタ）を備えたものが一般的である。
【０００３】
一方、車両発進時等においてはクラッチの操作がデリケートとなり、その操作を自動制御で行おうとすると装置が複雑、高価となってしまうため、この場合にのみクラッチペダルを用いたマニュアル（手動）操作を行えるようにして、装置のシンプル化、低価格化を狙ったものがある。この場合、クラッチペダルの操作によりマスタシリンダから油圧を給排し、この油圧の給排により上記倍力装置への空圧の給排を行うようにしている。（関連技術；実公平４−８０２３号公報）
【０００４】
【発明が解決しようとする課題】
ところで、発進時を除く自動変速時、倍力装置にはクラッチペダルを操作せずとも空圧が給排される。そして特に倍力装置は、空圧が供給されると内部のパワーピストンを押動させてクラッチを分断方向に操作するようになっている。
【０００５】
しかし、従来の構成において、マスタシリンダからの油圧を送る通路は、上記パワーピストンの移動に応じて容積変化する倍力装置の油圧シリンダに連通しており、パワーピストンの押動により油圧シリンダ容積が増すと、油圧通路内に負圧が発生して気泡が混入し、クラッチの正確なマニュアル操作を行えない問題がある。
【０００６】
なお、このような負圧発生を防止するためには、前記実公平４−８０２３号公報のように、倍力装置の油圧出力部にマニュアル操作と自動操作とのキャンセル機構を備える必要があるが、その機構は複雑となり、信頼性にも問題がある。従って倍力装置の変更は行わずに負圧発生を防止すべく、マスタシリンダをクラッチペダルだけでなく、制御系（空圧供給回路）によっても同様に、且つ互いに干渉することなく駆動できるようにすることが望ましい。
【０００７】
【課題を解決するための手段】
本発明は、作動流体が収容される第１流体室を区画するシリンダと、シリンダ内を摺動して前記作動流体を加圧する第１ピストンと、前記シリンダ内に摺動可能に設けられ、前記第１ピストンとの間に第２流体室を区画する第２ピストンと、前記第１及び第２ピストンを作動流体加圧方向に押動するロッドと、前記第２流体室に連通され、その第２流体室に圧力流体を導入して前記第１ピストンを押動するための導入路と、前記シリンダと前記第１ピストンとの間に設けられ、前記第１及び第２流体室から隔てられて外部に連通された大気室とを備えたものである。この構成によれば、圧力流体により第１ピストンを押動し、作動流体を加圧することができる。また大気室は、第１流体室からリークした作動流体や、第２流体室からリークした圧力流体を大気圧に減圧して外部に排出する。
【０００８】
【発明の実施の形態】
以下本発明の好適実施例を添付図面に基づいて詳述する。
【０００９】
図２は、本発明に係る流体圧発生装置が具備されたクラッチ断続装置を示す全体構成図で、ここに流体圧発生装置はマスタシリンダとして適用されている。
【００１０】
図示するように、クラッチ断続装置１は、比較的高圧の空気（圧力流体）を供給するための空圧供給手段２を有する。空圧供給手段２は、エンジン（図示せず）に駆動されて空圧（空気圧）を発生するコンプレッサ３と、コンプレッサ３からの空気を乾燥させるエアドライヤ４と、エアドライヤ４から送られてきた空気を貯留するエアタンク５と、エアタンク５の入口側に設けられた逆止弁６とから主に構成される。この空圧供給手段２からの空圧は倍力装置（クラッチブースタ）７に送られ、倍力装置７はその空圧の供給により摩擦クラッチ８を分断側（右側）Ａに操作するようになっている。また倍力装置７は、クラッチペダル９の操作によりマスタシリンダ１０から高圧の作動油（作動流体）即ち油圧も供給されるようになっている。
【００１１】
図３は倍力装置７の詳細を示す縦断面図である。なおこの倍力装置７は従来同様に構成される。図示するように、倍力装置７は、そのボディ１１に接続されたシリンダシェル１２を有し、このシリンダシェル１２内にピストンプレート（パワーピストン、倍力ピストン）１３が、リターンスプリング１４により空圧導入側（図中左側）に付勢されて設けられている。シリンダシェル１２の一端には空圧ニップル１５が取り付けられ、この空圧ニップル１５が空圧導入口を形成してエアタンク５からの空圧を空圧配管３５（図２）から導入する。空圧が導入されるとピストンプレート１３がクラッチ８側（図中右側）に押動され、こうなるとピストンプレート１３はピストンロッド１６、ハイドロリックピストン１７、さらにはプッシュロッド１８を押動してクラッチレバー８ａ（図２）を押し、クラッチ８を分断する。
【００１２】
一方、ボディ１１内部には、油圧導入口たる油圧ニップル１９に連通する油圧通路２０が形成される。油圧通路２０は、ボディフランジ部１１ａの一端（下端）側に形成された孔２１、ハイドロリックピストン１７を収容するハイドロリックシリンダ（油圧シリンダ）２２（ボディシリンダ部１１ｂに形成される）、及びハイドロリックシリンダ２２に小孔２３ａを介して連通する他端（上端）側の制御孔２３によって主に形成される。油圧ニップル１９から油圧配管５４（図２）の油圧が導入されると、油圧は上記通路を通って制御孔２３に到達し、制御ピストン２４を制御シリンダ２５に沿って右側に押動する。このようにボディフランジ部１１ａの上端側には、倍力装置７をマニュアル作動させるための制御バルブ部７ａが形成される。
【００１３】
制御バルブ部７ａは右側に突出する制御ボディ部２６によって区画される。制御ボディ部２６には、前述の制御シリンダ２５に同軸に連通するコントロール室２７及び空圧ポート２８が形成される。コントロール室２７にはコントロールバルブ２９が、空圧ポート２８にはポペットバルブ３０がそれぞれ摺動可能に収容される。空圧ポート２８にはニップル３１が取り付けられ、このニップル３１には空圧配管６７（図２）が接続されて空圧が常に供給されている。
【００１４】
通常、ポペットバルブ３０は、空圧とポペットスプリング３２とにより左側に付勢されていて、コントロール室２７及び空圧ポート２８を連通する連通ポート３３を閉じている。よってニップル３１からの空圧はポペットバルブ３０の位置で遮断される。しかしながら、クラッチペダル９の特に踏み込み操作により油圧が供給されると、制御ピストン２４及びコントロールバルブ２９がポペットバルブ３０を右側に押動して連通ポート３３を開く。こうなると、連通ポート３３からコントロール室２７に侵入した空圧は、詳しくは後述するが、コントロール室２７に連通する空圧配管３４，３５（図２）を通じて前述のシリンダシェル１２に入り、ピストンプレート１３を右側に押動し、クラッチ８を分断側に操作する。
【００１５】
ここで、クラッチペダル９によるクラッチ８のマニュアル（手動）操作時、倍力装置７はクラッチペダル９のストローク量に応じてクラッチ８を所定ストロークだけ操作することができる。即ち、例えばクラッチペダル９が比較的小さくストローク乃至踏み込まれた場合、前述の空圧作用によりピストンプレート１３が右側に押動される。ところが、これに連動してハイドロリックピストン１７が所定ストロークだけ右側に押動されると、油圧通路２０の容積が増し制御孔２３内の油圧が下がる。こうなると、制御ピストン２４がコントロールバルブ２９をポペットバルブ３０に押し付けつつ、ポペットバルブ３０が連通ポート３３を閉鎖するバランス状態が生じ、これによりコントロール室２７、空圧配管３４，３５及びピストンプレート１３背面側室内にて所定の空圧が保持され、ピストンプレート１３を所定ストローク位置に保持し、クラッチ８を所定位置に保持する。
【００１６】
また、クラッチペダル９を完全に戻すと、制御孔２３内の油圧がさらに下がって、図示の如く制御ピストン２４が最も左側の原位置に戻される。こうなると、コントロールバルブ２９がポペットバルブ３０から離れ、コントロールバルブ２９の内部に設けられた開放ポート３６がコントロール室２７等と連通するようになる。すると、その空圧は開放ポート３６からブリーザ３７を通じ大気開放され、これによりピストンプレート１３を押していた空圧が抜けて、クラッチ８が接続側（左側）Ｂに操作される。
【００１７】
このように、倍力装置７はマニュアル操作用の制御バルブ部７ａを有して、主に発進時等にクラッチ８のマニュアル操作を可能とするが、後述するように、変速時におけるクラッチ８の自動操作をも可能とするものである。
【００１８】
なお、倍力装置７において、３８は、シリンダシェル１２で区画されるシリンダ室１２ａとハイドロリックシリンダ２２とを油密に仕切るシール部材、３９及び４０はブリーザ３７と連通する大気圧ポート、４１は緩められると作動油のエア抜きを行えるブリーダである。
【００１９】
図１はマスタシリンダ１０の詳細を示す縦断面図である。図示するように、マスタシリンダ１０は、長手方向に延出されたシリンダボディ４５（シリンダ）を有する。シリンダボディ４５は、その内部に、長手方向に一定内径のシリンダボア４６を有して略円筒状に形成される。シリンダボア４６の一端（左端）は開放され、その他端（右端）は、シリンダボディ４５内部に形成された油圧供給ポート（吐出口）５３に連通する以外は閉止される。油圧供給ポート５３には油圧配管５４（図２）が接続される。
【００２０】
シリンダボア４６には特に二つのピストン４７，４８が独立して摺動可能に装入される。これらピストン４７，４８は直列配置され、右側に位置する第１ピストン４８が、これより右側のシリンダボア４６内壁との間で、作動油を収容するための油圧室４６ａ（第１流体室）を区画形成する。油圧室４６ａ内には、第１ピストン４８を左側に付勢するリターンスプリング５２と、リターンスプリング５２及び第１ピストン４８間に配置されたピストンカップ５１とが装入される。ピストンカップ５１はシリンダボア４６内壁に対し摺動可能となっている。
【００２１】
第１ピストン４８は、その右端部、左端部及び中間部がシリンダボア４６内壁に対し摺動可能となっており、それ以外の部分は縮径されてシリンダボア４６内壁との間に隙間を形成している。そして右端の摺動部４８ｅと中間摺動部４８ｆとの間の隙間は、その右端摺動部４８ｅ及びピストンカップ５１によって油圧室４６ａから隔てられた油室４８ａを形成している。また、中間摺動部４８ｆと左端の摺動部４８ｂとの間の隙間は、その中間摺動部４８ｆによって油室４８ａから隔てられた大気室４８ｇを形成している。中間摺動部４８ｆと左端摺動部４８ｂとにはそれぞれ周溝４２ａ，４２ｂが設けられ、これら周溝４２ａ，４２ｂにはシーリングカップ４３ａ，４３ｂが収容されて各摺動部４８ｆ，４８ｂの周りをシールしている。右端摺動部４８ｅにはピストンカップ５１が常時当接しており、このピストンカップ５１がその摺動部４８ｅの周りを実質的にシールする。
【００２２】
左側に位置する第２ピストン４７も、第１ピストン４８同様右端と左端との摺動部４７ａ，４７ｂがシリンダボア４６内壁に対し摺動可能となっている。そして左端の摺動部４７ｂにも周溝４７ｃが設けられ、その周溝４７ｃにシーリングカップ４７ｄが収容されてシールを行っている。第２ピストン４７の中央部は縮径され、これによりシリンダボア４６内壁との間には空気室４７ｅが形成される。特に右端の摺動部４７ａの右端面には、右側に突出された縮径突出部４７ｆが形成され、この縮径突出部４７ｆの外周側のシリンダボア４６内壁との隙間が、第１ピストン４８の左端摺動部４８ｂによって大気室４８ｇから隔てられた空圧室４７ｇ（第２流体室）を形成する。そしてこの空圧室４７ｇに連通して、シリンダボディ４５には、空圧配管６２（図２）を接続させてその空圧を導入する空圧導入ポート５５（導入路）が設けられる。また同様に、シリンダボディ４５には、大気室４８ｇを外部に連通して大気開放するための大気ポート４４も設けられる。大気ポート４４はその出口部付近が拡径され、その中には防塵用としてのフィルタ部材６４が充填装着されている。このフィルタ部材６４としてはグラスウールが用いられている。なお、７３は、空圧室４７ｇと空気室４７ｅとを連通させるために設けられた円周上の切欠きである。
【００２３】
図示状態にあって、第１及び第２ピストン４８，４７は、リターンスプリング５２に付勢されて左側の原位置に位置されており、このとき第１ピストン４８の左端面と、第２ピストン４７の縮径突出部４７ｆの右端面とは互いに当接されている。またこのとき、これらピストン４８，４７の左側への移動は、シリンダボア４６の左端内壁に取り付けられたスナップリング５６によって規制される。シリンダボア４６の左端開口部には、クラッチペダル９の踏み込み或いは戻し操作に合わせて挿抜するプッシュロッド４９（ロッド）の先端部が挿入される。さらにその開口部はダストブーツ５０で閉止される。プッシュロッド４９の先端面は半球状に形成され、これに合わせて第２ピストン４７の左端面も半球状に窪まされている。なおこれら端面同士は当接・離間可能である。
【００２４】
シリンダボディ４５には、油圧室４６ａ及び油室４８ａにそれぞれ小径ポート６０及び大径ポート６１を介して作動油を補給するための給油通路４５ａが設けられる。小径ポート６０は、第１ピストン４８の右側への押動、或いは作動油加圧方向への移動とともに、シーリングカップ４７ｄ又は右端摺動部４８ｅで閉止され、一方大径ポート６１は常に油室４８ａに連通するようになっている。そして給油通路４５ａには給油ニップル５７が取り付けられ、給油ニップル５７は、作動油が貯留されたリザーバタンク５８（図２）に給油配管５９（図２）を介して接続する。なお油圧室４６ａには、油圧供給ポート５３を適宜開閉するチェック弁５３ｂも設けられる。４５ｂは、マスタシリンダ１０を車両のボディ等に固定するためのボルト挿通穴である。
【００２５】
このマスタシリンダ１０にあっては、クラッチペダル９を用いたマニュアル操作と、後述の空圧供給による自動操作との両方で作動油を加圧し、油圧を発生することができる。即ち、マニュアル操作のときは、クラッチペダル９の踏み込みによりプッシュロッド４９を介して両方のピストン４８，４７を一緒に押動し、これによって油圧室４６ａの作動油を加圧し、油圧供給ポート５３から油圧を供給する。一方、自動操作による場合は、空圧導入ポート５５から空圧室４７ｇに空圧を供給し、これにより第１ピストン４８のみを押動させ、作動油を加圧する。なおこのとき、空圧は空気室４７ｅにも流入し、左端摺動部４７ｂにも作用して第２ピストン４７を左側に押すが、その移動はスナップリング５６によって規制されるため、第２ピストン４７は左端側の原位置にそのまま保持される。
【００２６】
ここで、空圧により第１ピストン４８を押動すると、空圧室４７ｇと油圧室４６ａとはともに高圧となる。このとき、空圧室４７ｇの空気が油圧室４６ａにリークすると、油圧室４６ａや油圧配管５４等に気泡が混入し所定の油圧が得られない。そこで、これら間のシールを完璧とするため上記大気室４８ｇを介在させるようにしている。即ち、大気室４８ｇは大気ポート４４によって外部と連通されて大気圧状態となっている。そして万が一空圧室４７ｇの空気がシーリングカップ４２ｂ等を抜けて大気室４８ｇに侵入したとしても、これは大気圧に減圧され且つ大気ポート４４を通じて外部に排出される。一方、油圧室４６ａの高圧の作動油が、ピストンカップ５１及び第１ピストン４８の右端摺動部４８ｅを抜けて油室４８ａにリークしたとする。しかしこの油室４８ａは、リザーバタンク５８内の作動油が大気圧であるため同じく大気圧となっている。よってそのリークした作動油は大気圧に減圧されることになる。そして仮に油室４８ａの作動油が大気室４８ｇにリークしたとしても、それは大気ポート４４から外部に排出される。
【００２７】
従って、大気室４８ｇ及び油室４８ａは空圧室４７ｇと油圧室４６ａ間の圧力の緩衝ゾーンを形成し、特に大気室４８ｇはリークしてきた空気又は作動油を外部に排出してシールの完全化を図るものである。また万が一、大気室４８ｇの空気がシーリングカップ４２ａ等を抜けて油室４８ａに侵入したとしても（大気圧同士なのでまずあり得ないが）、これは大径ポート６１、給油配管５９を通じてリザーバタンク５８内で大気開放されるため問題はない。
【００２８】
加えて、このマスタシリンダ１０においては、第１及び第２ピストン４８，４７の各摺動部４８ｅ，４８ｆ，４８ｂ，４７ａ，４７ｂのみを部分的に摺動させるようにしたため、摺動面積を減小して摩擦抵抗を減らし、これによりスムーズな動作を達成できる。
【００２９】
また油室４８ａと大気室４８ｇとの間、及び大気室４８ｇと空圧室４７ｇとの間にそれぞれシーリングカップ４２ａ，４２ｂを設けて各シーリングカップ４２ａ，４２ｂを離間したため、前者は作動油のリーク防止のためのもの、後者は空気リーク防止のためのものと役割を分担できて、それぞれ異なった性状（材質、形状等）のものを使用することができる。特に、空圧室４７ｇに導入される空気には、コンプレッサ３でのエンジンオイル上がりによるエンジンオイルミストを含んでおり、このエンジンオイルと作動油（ブレーキオイル等）との両者に耐え得るシールカップ材はないという現状から、それぞれに適した十分耐久性のある材質を選定でき、これによりシールの耐久性を向上することができる。
【００３０】
さて、図２に戻って、マスタシリンダ１０の空圧導入ポート５５とエアタンク５とは空圧配管６２で接続され、この空圧配管６２には２つの分岐６３，６５が設けられる。分岐６３には空圧配管６７が接続され、空圧配管６７の他端は倍力装置７のニップル３１に接続される。分岐６５には空圧配管６８が接続され、この空圧配管６８の他端は、空圧配管３４及び３５にシャトル弁（ダブルチェックバルブ）６９を介して接続される。シャトル弁６９は、空圧配管３４或いは６８の一方を空圧配管３５に接続するよう、圧力差に応じて切替えを行う。
【００３１】
ここで、エアタンク５から分岐６５、シャトル弁６９、及び倍力装置７の空圧ニップル１５を順に結ぶ空圧配管６２，６８，３５は第１の空圧供給路ａを形成する。またエアタンク５から分岐６３を分岐して倍力装置７の空圧ニップル１５までを結ぶ空圧配管６２，６７，３４，３５は第２の空圧供給路ｂを形成する。そしてこれら第１及び第２の空圧供給路ａ，ｂはシャトル弁６９により切替可能となる。
【００３２】
ここで、第１の空圧供給路ａの空圧配管６８には、コンピュータ式制御装置（コントローラ）７２により切替制御される二つの電磁切替弁７８，７９が設けられる。これら切替弁７８，７９は、ＯＮのときには開となって下流側（倍力装置７側）への空圧の供給を許容し、ＯＦＦ  のときには空圧供給を遮断する一方、下流側の空圧を大気開放するようになっている。そして特に上流側（エアタンク５側）の切替弁７８は、下流側の空圧を絞りを通じて大気開放するようになっている。
【００３３】
よって、切替弁７８，７９のＯＮとＯＦＦ  との組合せが、ＯＮ／ＯＮ  なら倍力装置７に対し空圧供給を、ＯＮ／ＯＦＦなら比較的短時間で空圧排出を、ＯＦＦ／ＯＮなら比較的長時間で空圧排出を行うようになっている。なおＯＦＦ／ＯＦＦ  のときはＯＮ／ＯＦＦのときと実質的に同一である。これは特に、２段階のクラッチ接続速度を選べることになるから、最適な組合せを選択することでクラッチ接続ショックの低減等を図ることができる。なおクラッチ８の分断は比較的速い一定速度で行われる。
【００３４】
一方、エアタンク５とマスタシリンダ１０とを結ぶ空圧配管６２は第３の空圧供給路ｃを形成し、特にその配管６２にも電磁切替弁８１が設けられる。切替弁８１は、前記切替弁７８，７９と同様のもので、制御装置７２により切替制御され、ＯＮのときには空圧をマスタシリンダ１０に供給し、ＯＦＦ  のときにはマスタシリンダ１０からの空圧を大気開放するようになっている。なお切替弁８１の開度をデューティ制御するようにすると、空圧の供給・排出速度を制御することもできる。
【００３５】
変速機７１は自動変速を行う構成がなされており、即ち、手動シフトレバーで変速ポジションが選択されると、電気スイッチによる変速信号が制御装置７２に送られ、図示しないアクチュエータが動作されて実質的な変速操作を行うようになっている。従って、運転手はスイッチの切替えを行うのみである。
【００３６】
他、制御装置７２には、アクセルペダル７５に設けられたストロークセンサ８２及びアイドルスイッチ８３、変速機７１のシフトレバー付近に設けられた非常スイッチ８４、変速機７１の出力軸付近に設けられた車速センサ８５、エアタンク５に設けられた圧力スイッチ８６、クラッチペダル９に設けられたペダルスイッチ８７、及びクラッチ８に設けられたクラッチストロークセンサ８８等が接続される。
【００３７】
次に、上記クラッチ断続装置１の動作説明を行う。
【００３８】
先ず、自動変速の概要に含めてクラッチ８の自動分断操作について説明する。運転手のシフト操作による変速信号の入力により、制御装置７２は両方の切替弁７８，７９をＯＮ乃至開とし、第１の空圧供給路ａを通じ倍力装置７に空圧を供給する。そしてクラッチ８が分断され、図示しないアクチュエータにより変速機７１の変速操作が完了すると、切替弁７８，７９を所定の組合せでＯＦＦ  とし、倍力装置７の空圧を所定速度で抜いてクラッチ８の接続操作を行い、変速を完了する。なおここでは、マニュアル操作ではないので空圧配管３４内は低圧であり、よってシャトル弁６９は空圧配管６８からの高圧でその配管６８のみを配管３５に接続する。
【００３９】
ここで図３を参照して、特にクラッチ８の自動分断操作時、ハイドロリックピストン１７が右側に移動することで、作動油が充填されているハイドロリックシリンダ２２の容積が増し、これにより油圧通路２０及び油圧配管５４内等（合わせて油圧通路内という）に負圧が生じて、作動油に気泡が混入する虞がある。こうなると油圧の正確な供給を行えず、クラッチ８のマニュアル操作が困難となる問題が生じる。
【００４０】
そこで、かかる構成にあっては、クラッチ８の自動分断操作時に、マスタシリンダ１０の空圧室４７ｇに空圧配管６２を通じて空圧を供給し、第１ピストン４８を適宜押動し、油圧通路内を適当に加圧するようにしている。こうすると、油圧通路内の負圧化を防止でき、トラブルを未然に防止することができる。
【００４１】
特にかかる構成にあっては、クラッチ８の自動分断操作時に、切替弁７８，７９を開とする前に、切替弁８１を若干早めに開として適当な初期圧を与えるようにしている。このことによって、負圧化の完全な防止を達成することができる。
【００４２】
他方、クラッチ８の自動接続操作時、こんどは切替弁７８，７９をＯＮ／ＯＦＦ或いはＯＦＦ／ＯＮのいずれかとして閉とし、倍力装置７から空圧を排出する。こうすると油圧通路内が順次増圧されるから、これに合わせて空圧室４７ｇの空圧を切替弁８１から適宜大気開放させる。こうなると第１ピストン４８の原位置への復帰が可能となる。またこのときにも、切替弁７８，７９を閉とした後に切替弁８１を遅れて閉とし、最後まで空圧を与えるようにして負圧化の完全防止を図っている。
【００４３】
次に、クラッチペダル９を用いたマニュアル操作時には、クラッチペダル９を踏み込んだ瞬間にマスタシリンダ１０から油圧が送られ、これにより制御バルブ部７ａが開となり、空圧でシャトル弁６９が切替り、空圧配管３４，３５同士が接続される。こうなると、倍力装置７には空圧が供給されてクラッチ８が分断される。特にこのマニュアル操作時には、油圧通路内を積極的に加圧するため負圧化は生じない。他方、クラッチペダル９を戻せば、倍力装置７から空圧が排出され、クラッチ８が接続される。なおこのマニュアル操作のときは、いずれの切替弁７８，７９，８１もＯＦＦ  である。こうして、電気系トラブル等で自動操作が不可能となっても、マニュアル操作によるクラッチ断続が可能となり、発進、変速等が可能となる。
【００４４】
ところで、自動操作の途中、即ちマスタシリンダ１０の空圧室４７ｇに空圧が供給された状態で、クラッチペダル９が踏み込まれたときは以下のようになる。このとき、第１ピストン４８は原位置から所定ストロークだけ押動されており、且つ第２ピストン４７は原位置にて空圧が作用されていて、これを空圧反力に逆らって強制的に押すことになる。この場合、空圧反力があるものの通常の踏力でクラッチペダル９の踏み込みは可能である。何故なら、その踏み込みにより第２ピストン４７を押動させると、エアタンク５の容量が比較的大きいことから、空圧室４７ｇの内圧は若干上昇するものの、空圧室４７ｇの空気は空圧配管６２に逆流するからである。これにより空圧室４７ｇの内圧をほぼ一定に保て、第１ピストン４８の移動乃至オーバーストロークを防止して、クラッチ８の誤作動等を防止することができる。
【００４５】
かかる構成にあっては、油圧通路内を負圧化させない程度に加圧すればよいので、第１ピストン４８等を特に大径とする必要がなく、マスタシリンダ１０を従来程度の外径に設定でき、大形となるのを防止することができる。
【００４６】
なお、上記の如き油圧通路の加圧は、倍力装置７のハイドロリックシリンダ２２周辺の内部構造を変更することによっても可能であるが、こうすると狭いスペースで複雑な構造を採用せざるを得ず、シール等の問題もあり信頼性やメンテナンス性の点で不利である。本実施例は従来同様の倍力装置７に変更を加えることなく、マスタシリンダ１０の構造や空圧回路の構成によって対応しているため、上記の欠点はなく構成がシンプルとなり、十分な信頼性、メンテナンス性等を確保できる。そして、クラッチペダル９による機械的な駆動及び空圧供給制御により、それぞれが互いに干渉することなく所望の油圧を発生させることができる。
【００４７】
このように、かかる流体圧発生装置（マスタシリンダ）を用いれば、クラッチの自動操作時における油圧通路内の負圧発生を防止することができる。また本発明は上記実施例の他にも変形実施例が可能である。上記実施例においては圧力流体を空気とし、大型車両に通常装備されているコンプレッサを利用するようにしたが、これを例えば作動油等とすることもできる。また作動流体を空気とすることもできる。そして本発明は、マスタシリンダ以外のものにも広く適用可能である。
【００４８】
【発明の効果】
本発明は次の如き優れた効果を発揮する。
【００４９】
（１）  クラッチの自動操作時、油圧通路内の負圧状態となることを防止でき、作動油に気泡が混入することがないので、クラッチのマニュアル操作が困難となるなどのトラブルを未然に防げる。
【００５０】
（２）  従来の装置を大きく変更することなく、シンプルな構成により（１）の効果を得ることができるので、十分な信頼性を確保できる。
【００５１】
（３）  大気室にリークしてきた作動流体や加圧流体を大気圧に減圧して外部に排出でき、シール性を向上することができる。
【図面の簡単な説明】
【図１】本発明に係る流体圧発生装置の一実施例を示す縦断面図である。
【図２】本発明に係る流体圧発生装置が具備されたクラッチ断続装置を示す全体構成図である。
【図３】倍力装置を示す縦断面図である。
【符号の説明】
１０  マスタシリンダ（流体圧発生装置）
４５  シリンダボディ（シリンダ）
４６ａ  油圧室（第１流体室）
４７  第２ピストン
４７ｇ  空圧室（第２流体室）
４８  第１ピストン
４８ｇ  大気室
４９  プッシュロッド（ロッド）
５５  空圧導入ポート（導入路）
【図１】
0003579974.tif 000002
【図２】
0003579974.tif 000003
【図３】
0003579974.tif 000004